(57)【要約】【課題】  片面に電気的機能部分が設けられたフレキシブルプリント配線板をいわゆる両面タイプとして構成することによりフレキシブルプリント配線板を内蔵した部品の低コスト化を図る。【解決手段】  フレキシブルプリント配線板３の表面に少なくとも２つの電気的機能部分５，７が所定の間隔を空けて配置されるとともに、これらの各電気的機能部分５，７の中間部分８で、前記各電気的機能部分５，７が表面側に露出するように前記フレキシブルプリント配線板３が折り曲げられ、その折り曲げられたフレキシブルプリント配線板３が所定の板状部材２の内部に収容されるとともに、前記各電気的機能部分５，７がその板状部材２の外面側から操作可能もしくは目視可能に配置されている。【選択図】  図１
2006135183.tif 000002
【特許請求の範囲】
【請求項１】
フレキシブルプリント配線板の表面に少なくとも２つの電気的機能部分が所定の間隔を空けて配置されるとともに、これらの各電気的機能部分の中間部分で、前記各電気的機能部分が表面側に露出するように前記フレキシブルプリント配線板が折り曲げられ、その折り曲げられたフレキシブルプリント配線板が所定の板状部材の内部に収容されるとともに、前記各電気的機能部分がその板状部材の外面側から操作可能もしくは目視可能に配置されていることを特徴とするフレキシブルプリント配線板を内蔵した部品の構造。
【請求項２】
前記電気的機能部分が、発光素子あるいは電子部品もしくは電気接点の少なくともいずれかであることを特徴とする請求項１に記載のフレキシブルプリント配線板を内蔵した部品の構造。
【請求項３】
前記中間部分に、折り曲げ癖を付けるための弱め部が、前記フレキシブルプリント配線板に形成された回路を避けて設けられていることを特徴とする請求項１または２に記載のフレキシブルプリント配線板を内蔵した部品の構造。
【請求項４】
前記フレキシブルプリント配線板における前記中間部分でかつ回路を避けた位置に銅箔が設けられ、その銅箔に、前記中間部分での折り癖を付ける折り目が設けられていることを特徴とする請求項１または２に記載のフレキシブルプリント配線板を内蔵した部品の構造。
【請求項５】
前記中間部分より先端側の自由端に係合用突片が形成され、かつ前記中間部分を挟んで前記係合用突片と対称の位置に前記係合用突片を挿入する係合孔が形成されていることを特徴とする請求項１ないし４のいずれかに記載のフレキシブルプリント配線板を内蔵した部品の構造。
【発明の詳細な説明】
【技術分野】
【０００１】
この発明は、フレキシブルプリント配線板を内蔵した部品、特に板状の部品の構造に関し、さらに具体的にはフレキシブルプリント配線板に取り付けられた電気的な機能部分が表裏両面側に現れるように構成した部品の構造に関するものである。
【背景技術】
【０００２】
通常、物入れの蓋裏を照らすために別途電線を使って配線したり、フレキシブルプリント配線板（ＦＰＣ）やリジッド基板(ＲＰＣ）などの両面実装基板を使ったりしてその照明用の回路を形成している。また、フレキシブルプリント配線板は、その名称のとおり可撓性に優れているので、多様な形態で使用することができ、例えば特許文献１に記載されたフレキシブルプリント配線板では、配線パターンが形成されている一部分を、切り込みを入れて他の部分から区画し、その区画された一部分を盛り上がらせるように折り曲げるとともにＬＥＤなどの電気部品を装着するように構成されている。
【特許文献１】実公平５−１３０２２号公報
【発明の開示】
【発明が解決しようとする課題】
【０００３】
上記の特許文献１に記載された構成を含む従来のフレキシブルプリント配線板は、可撓性があってもフラットな形状であって、その一方の面に配線パターンが形成されているから、その可撓性を利用して部分的な折り曲げおこなって必要に応じた形状を得、あるいは配線をおこなっている。しかしながら、特許文献１にも記載されているように、従来では、その配線パターンが形成された一面を使用することとしているので、いわゆる背中合わせに、接点やＬＥＤなどの電気的機能部分を設け、これらの電気的機能部分に対してフレキシブルプリント配線板によって配線する場合、二枚のフレキシブルプリント配線板を用いることになり、その場合、各フレキシブルプリント配線板を接着剤で一体に接合するなどの過剰な作業が必要となる不都合があった。
【０００４】
この発明は上記の技術的課題に着目してなされたものであり、一方の面にのみ配線パターンもしくは回路が形成されているフレキシブルプリント配線板を、両面に電気的機能部分が設けられているのと同様に使用して配線の容易化や低コスト化を図った部品の構造を提供することを目的とするものである。
【課題を解決するための手段】
【０００５】
上記の目的を達成するために、請求項１の発明は、フレキシブルプリント配線板の表面に少なくとも２つの電気的機能部分が所定の間隔を空けて配置されるとともに、これらの各電気的機能部分の中間部分で、前記各電気的機能部分が表面側に露出するように前記フレキシブルプリント配線板が折り曲げられ、その折り曲げられたフレキシブルプリント配線板が所定の板状部材の内部に収容されるとともに、前記各電気的機能部分がその板状部材の外面側から操作可能もしくは目視可能に配置されていることを特徴とする構造である。
【０００６】
また、請求項２の発明は、請求項１の発明における前記電気的機能部分が、発光素子あるいは電子部品もしくは電気接点の少なくともいずれかであることを特徴とする構造である。
【０００７】
さらに、請求項３の発明は、請求項１または２の発明において、前記中間部分に、折り曲げ癖を付けるための弱め部が、前記フレキシブルプリント配線板に形成された回路を避けて設けられていることを特徴とする構造である。
【０００８】
またさらに、請求項４の発明は、請求項１または２の発明において、前記フレキシブルプリント配線板における前記中間部分でかつ回路を避けた位置に銅箔が設けられ、その銅箔に、前記中間部分での折り癖を付ける折り目が設けられていることを特徴とする構造である。
【０００９】
そして、請求項５の発明は、請求項１ないし４のいずれかの発明において、前記中間部分より先端側の自由端に係合用突片が形成され、かつ前記中間部分を挟んで前記係合用突片と対称の位置に前記係合用突片を挿入する係合孔が形成されていることを特徴とする構造である。
【発明の効果】
【００１０】
請求項１の発明によれば、フレキシブルプリント配線板の所定の箇所に設けられた少なくとも２つの電気的機能部分の中間部分で、これらの電気的機能部分の設けられた箇所が外側となるように折り曲げると、その折り畳まれた部分が二枚重ねであっても実質上、表裏両面に相当する箇所に前記電気的機能部分が設けられた状態となる。そして、少なくとも、その折り曲げられて表裏両面側に電気的機能部分が位置する状態で、板状部材の内部に収容され、その状態で各電気的機能部分が、その板状部材の外面から操作可能であり、あるいは目視できるので、結局、１枚のフレキシブルプリント配線板を、表裏両面に配線パターンもしくは回路が形成されたものと同様に使用することができ、その結果、両面に配線パターンが設けられたフレキシブルプリント配線板などの特殊な構造のものを使用する必要がないので、フレキシブルプリント配線板を内蔵した部品の低コスト化を図ることができ、またその配線を容易なものとすることができる。
【００１１】
また、請求項２の発明によれば、例えば板状をなす所定の蓋体の外表面にスイッチを設け、またその内面に蓋の内部を照明する発光素子を設けた構造を、片面に配線パターンもしくは回路が形成された通常のフレキシブルプリント配線板を用いて構成することができ、その製造コストの低廉化を図ることができる。
【００１２】
さらに、請求項３の発明によれば、フレキシブルプリント配線板を折り曲げる箇所が構造上、弱め部に特定されるので、その折り曲げ作業を容易なものとすることができる。
【００１３】
またさらに、請求項４の発明によれば、銅箔の部分に折り癖が付けられるので、その折り曲げ作業が容易になる上に、折り曲げ位置のずれが未然に解消され、その結果、板状部材に収容した場合、前記電気的機能部分の位置を正確に設定することができる。
【００１４】
そして、請求項５の発明によれば、係合用突片を係合孔に挿入することにより、前記中間部分で折り曲げた状態を維持できるので、前記電気的機能部分をいわゆる背中合わせに設定した状態のフレキシブルプリント配線板を前記板状部材の内部に容易に収容することができる。
【発明を実施するための最良の形態】
【００１５】
以下、本発明を実施した最良の形態について説明する。この発明の構造は、フレキシブルプリント配線板の表面に電子部品などの各電気的な機能部分が所定の間隔を空けて配置され、各機能部分の中間部分でフレキシブルプリント配線板が折り曲げられ、その状態で所定の板状部材（具体的には蓋体）の内部に挿入され、かつ電気的に各機能部分が蓋体の表面側から操作もしくは目視可能に設けられるように構成された構造である。
【００１６】
この構造を備えたフレキシブルプリント配線板は、折り曲げて使用される片面実装のフレキシブルプリント配線板であり、図１１および図１２に示す物入れに内蔵されており、この物入れは、図１１〜１２に示すように開口部１Ａを有する本体部１と、その開口部１Ａに被せられてその開口部１Ａを密閉する蓋体２とを備えている。
【００１７】
具体的には、フレキシブルプリント配線板３にはその縁部３Ａから延びるように舌部４が形成されており、図１に示すように、その舌部４の片面４Ａには電子部品５、照明用回路（図示せず）、外部（本体部、蓋体等の内部）を照らすＬＥＤ７等の機能部品が所定の間隔を空けて配置されている。なお、ＬＥＤ７は照明用回路（電子回路）に接続されている。舌部４は、各機能部分の中間部分で折り曲げられ、その中間部分の折り曲げ位置を確定する折り曲げ部８が、一例として図２に示すように形成されている。そして、この折り曲げ部８で二つ折りすることにより、電子部品５およびＬＥＤ７を表面側に露出させた状態で、蓋体２の内部に挿入されている。その状態では、各機能部分が蓋体２の表面側から操作もしくは目視可能になっている。なお、折り曲げ部８は、癖付けされていることにより折り曲げ位置を確定する（決める）ように構成されている。
【００１８】
図１に示す蓋体２は、裏カバー２Ａと表カバー２Ｂとを備えており、前記舌部４が裏カバー２Ａと表カバー２Ｂとの間に挿入されるように構成されている。裏カバー２Ａの内面には、厚さ方向に沿うボス２Ｃが形成されている。そのため、折り曲げられた（穴の開いた）舌部４がボス２Ｃにより固定されるので、折り曲げ部８の位置で折り曲げられた舌部４のずれが発生するのを防止することができる。なお、舌部４における折り曲げ後の復元力を押さえるために、別途、舌部４を保持する部品を蓋体２に設けることが好ましい。また、蓋裏カバー２Ａには、蓋体２を閉じた場合に本体部１の内部が暗くなり、蓋体２を開けた場合に蓋体２自体だけでなく、本体部１の内部に光が照射するようにＬＥＤ７の光を透過するレンズ（断面形状が、Ｔ字状でかつＬＥＤ７から離れる方向に一部凹んだレンズ）１０が設けられている。したがって、この例では、レンズ１０を通して各機能部分を操作もしくは目視することができる。
【００１９】
つぎに、この発明における舌部の具体例について説明する。図２に示す舌部４は、長手方向に延びる絶縁体であり、その中央側には、先端が一部、四角形状に形成され、かつその先端部１１Ａの一角から下方に延びる直線部１１Ｂが形成された電子回路（配線パターン）１１が設けられている。この電子回路１１は、前記四角形状の部分が電子部品５の中心軸に対して左右対称となるように隙間１２を空けて一対に設けられており、その一対の先端部１１Ａ上に電子部品５が配置されている。
【００２０】
図２〜５に示す構造では、舌部４が癖付けされることにより、舌部４の折り曲げ部８に山状の折り目８Ａが形成される。折り目８Ａは、折り曲げ荷重に対して容易に追従するこの発明の弱め部に相当する部分であり、上記電子回路１１から舌部４の縁部４Ｄまでの間で、かつ直線部１１Ｂに対して垂直方向に断続的に形成されている。また、図３に示すように、折り目８Ａは縦断面形状で片面４Ａに対して外側に突出するように形成されている。なお、折り曲げ部８の形状は図３に示すようなＶ字形状に限られない。つまり、この例では折り返し癖をつけるための折り目８Ａが電子回路１１を避けるようにして形成されているので、配線パターンが破断されるようなことが無く、折り返し癖によって折り返し位置が一定となる。
【００２１】
例えば、舌部４を図３に示す矢印方向（内側）に折り曲げた場合には、面４Ｂへ面４Ｃが近づく。この舌部４は常に折り目８Ａを中心にして折れ曲がる。したがって、舌部４が癖付けされてその舌部４の折り曲げ部８に折り目８Ａが形成されている場合には、折り曲げ位置がその折り目８Ａによって確定される。つまり、所定の簡易な方法で舌部４の折り曲げを行うことができる。また、舌部４は癖付けされているので、癖付けされていない部分と比較して、舌部４を折り曲げた後に元に戻ろうとする力（復元力）を低減できる。
【００２２】
なお、上記折り曲げ部８には銅箔からなるミシン目が形成されていることが好ましい。例えば、舌部４にミシン目を配置する場合には、ミシン目が電子回路を妨げないように電子回路を避けてミシン目を設けることが好ましい。この場合、電子回路には通電をする必要がある。電子回路にミシン目を設けると（電子）回路（蓋体の裏側に配線される電子回路）が断線する可能性があるからである。また、ミシン目の幅を大きくすることにより、その部分に補強板の役目を持たせてもよい。このように折り曲げ部８に銅箔からなるミシン目を設けることにより、折り曲げ位置がそのミシン目に確定される。なお、銅箔は折り曲げやすい材質であるので、常に折り曲げ部８で折り曲げることができる。
【００２３】
つぎに、この発明における舌部の他の具体例について説明する。この具体例では、図４に示すように舌部４の折り曲げ部８より先端側の自由端部に係合用突片１３が形成されている。具体的には、係合用突片１３は、矩形状に突出したいわゆる余白部分であり、舌部４を折り曲げた状態を固定するために、舌部４の先端が凸状に形成されている。一方、舌部４は、一対の直線部１１Ｂ同士間に電子部品５から所定の間隔を空けて係合孔１４が形成されている。この係合孔１４と前記係合用突片１３とは、前記折り曲げ部８を挟んだ対称位置に設けられている。したがって折り曲げ部８で舌部４を折り返した場合、係合用突片１３を係合孔１４に挿入することができ、これら係合用突片１３と係合孔１４とで、その折り曲げ状態を安定的に維持することができる。したがってまた、舌部４を折りたたんだ後の電子部品５の位置を正確に固定することができる。
【００２４】
具体的に説明すると、図５は、舌部の折り曲げ状態を示す図であり、まず、図５（Ａ）に示すように、舌部４が折り曲げられると、折り曲げ部８が変形し、面４Ｂへ面４Ｃが近づく。そして、図５（Ｂ）に示すように、係合用突片１３が矢印方向に移動し係合孔１４に通され、その後、係合用突片１３の先端を下方もしくは上方に折りたたむ。
【００２５】
したがって、舌部４において、係合孔１４の位置を常に一定の場所にしておくことにより、舌部４の折り畳み状態を常時安定させることができる。また、舌部４を折り曲げた時に、係合用突片１３を係合孔１４に差し込むことにより、治具などを用いることなく、舌部４の折り曲げ状態を固定状態に保つことができる。また、差し込まれた係合用突片１３の先端を上方または下方に折りたたんで固定することにより、係合用突片１３が係合孔１４から抜けるのを防止することができる。
【００２６】
つぎに、この発明における舌部の更に他の具体例について説明する。この具体例では、図６に示すように折り曲げ部８は、上記直線部１１Ｂから舌部４の縁部４Ｄまでの間に先端の縁部４Ｄに沿う枠状部１５が舌部４の上下両側に形成されている。したがって、その枠状部１５同士間の間隙部分が、舌部４を折り曲げる箇所となり、この具体例の折り曲げ部８に相当する。
【００２７】
この具体例の舌部の作用について説明する。図７に示すように、舌部４を矢印方向（内側）に折り曲げると、折り曲げ部８が変形し、枠状部１５の面同士が近づく。そして、図７（Ｂ）に示すように、舌部４が折り曲げられた状態となる。
【００２８】
なお、上記具体例では、舌部４が癖付けされて舌部４の折り曲げ部８には図２〜４に示した折り目８Ａが形成されているが、この発明における折り曲げ部はこの具体例の形状に限定されない。要は、舌部やフレキシブルプリント配線板の所定箇所が癖付けされていればよく、例えば、図８に示すように、舌部４において、折り曲げ部８の両側が絞られ、その幅が狭くなっていてもよい。また、図９に示すように、舌部４において、折り曲げ部８の両側が、直線状でかつ円形状に絞られて幅が狭くなっていてもよい。このように折り曲げ部８の幅を絞ぼることにより、その部分の曲げ剛性が低下し、舌部４を折り曲げ易くすることができる。また、この折り曲げ部８の幅を狭めることにより、舌部４を折り曲げ易くすることができる。さらに、上記具体例では、舌部４が癖付けされることにより、舌部４の折り曲げ部８に折り目８Ａが形成されているが、この癖付けは、手作業によるものではなく、例えば設備などを導入して機械的な手段を用いておこなってもよい。
【００２９】
そして、図１０に示すように、片面４Ａを押さえる押さえ部２０を表カバー２Ｂの内面に設けてもよい。この具体例では、片面４Ａに本体部１および蓋体２自体を照らすＬＥＤ７が設けられているので、片面実装基板としての舌部４で両面実装基板の機能を実現できる。そのため、舌部４の両面に電子回路１１（電子部品５）などを備える必要がないためコストダウンできる。
【図面の簡単な説明】
【００３０】
【図１】図１２のＥ部を示す拡大断面図である。
【図２】この発明における舌部の具体例を示す平面図である。
【図３】その舌部の断面図である。
【図４】この発明における舌部の他の具体例を示す平面図である。
【図５】図４に示す舌部の折り曲げ状態を示す図である。
【図６】この発明における舌部の更に他の具体例を示す平面図である。
【図７】図６に示す舌部の折り曲げ状態を示す図である。
【図８】この発明における舌部の更に他の具体例を示す平面図である。
【図９】この発明における舌部の更に他の具体例を示す平面図である。
【図１０】この発明に係るフレキシブルプリント配線板を内蔵した部品の他の具体例を示す断面図である。
【図１１】この発明に係る部品の一例である蓋体の上面図である。
【図１２】その蓋体を設けたもの入れの一例を示す側面図である。
【符号の説明】
【００３１】
２…蓋体、  ３…フレキシブルプリント配線板、  ４…舌部、  ４Ａ…片面、  ５…電子部品、  ７…ＬＥＤ、  ８…折り曲げ部、  １１…電子回路（配線パターン）、  １３…係合用突片、  １４…係合孔。
【図１】
2006135183.tif 000003
【図２】
2006135183.tif 000004
【図３】
2006135183.tif 000005
【図４】
2006135183.tif 000006
【図５】
2006135183.tif 000007
【図６】
2006135183.tif 000008
【図７】
2006135183.tif 000009
【図８】
2006135183.tif 000010
【図９】
2006135183.tif 000011
【図１０】
2006135183.tif 000012
【図１１】
2006135183.tif 000013
【図１２】
2006135183.tif 000014